(57)【要約】【課題】溶接作業を必要としない、新たな既製コンクリート杭と杭頭補強筋との接合部の構造を提供すること。【解決手段】接合部の構造は、互いに平行な一片部及び少なくとも１つのねじ孔（２１）が設けられた他片部と両片部に連なる、孔（２２）が設けられた連接部とからなる板状体（１６）を備える。板状体は、既製コンクリート杭の頭部上に配置され一片部（１６ａ）及び連接部（１６ｃ）がそれぞれ既製コンクリート杭の内周面及び頂面に接し、他片部（１６ｂ）が既製コンクリート杭の外周面に対して間隔をおいて相対し、また、連接部の孔に杭頭補強筋（１４）が通されている。さらに、板状体の他片部のねじ孔に螺合され板状体を反力支持体として杭頭補強筋に押圧力を及ぼす少なくとも１つのねじ部材（２０）を備える。【選択図】図１
2020148035.tif 000002
【特許請求の範囲】
【請求項１】
内周面、外周面及び頂面を有する既製コンクリート杭と杭頭補強筋との接合部の構造であって、
互いに平行な一片部及び少なくとも１つのねじ孔が設けられた他片部と両片部に連なる、孔が設けられた連接部とからなる板状体であって前記既製コンクリート杭の頭部上に配置され前記一片部及び連接部がそれぞれ前記既製コンクリート杭の内周面及び頂面に接し、前記他片部が前記既製コンクリート杭の外周面に対して間隔をおいて相対し、また、前記連接部の孔に前記杭頭補強筋が通された板状体と、
前記板状体の他片部のねじ孔に螺合され前記板状体を反力支持体として前記杭頭補強筋に押圧力を及ぼす少なくとも１つのねじ部材とを備える、接合部の構造。
【請求項２】
内周面、外周面及び頂面を有する既製コンクリート杭と杭頭補強筋との接合部の構造であって、
互いに平行な一片部及び少なくとも１つの孔が設けられた他片部と両片部に連なる、孔が設けられた連接部とからなる板状体であって前記既製コンクリート杭の頭部上に配置され前記一片部及び連接部がそれぞれ前記既製コンクリート杭の内周面及び頂面に接し、前記他片部が前記既製コンクリート杭の外周面に対して間隔をおいて相対し、また、前記連接部の孔に前記杭頭補強筋が通された板状体と、
前記板状体の他片部の孔を経て伸びかつ前記板状体を反力支持体として前記杭頭補強筋に押圧力を及ぼす少なくとも１つのねじ部材と、該ねじ部材に螺合されたナットであって前記板状体の一片部、他片部及び連接部が取り囲む空間を前記板状体の内部としたとき、前記板状体の内部において前記他片部に接するナットとを備える、接合部の構造。
【請求項３】
さらに、前記杭頭補強筋と前記ねじ部材との間に配置された、前記杭頭補強筋に対する当て板を備える、請求項１又は２に記載の接合部の構造。
【請求項４】
前記杭頭補強筋は該杭頭補強筋に設けられその周面から突出する突起を有し、前記当て板は前記突起の上方に位置する、請求項３に記載の接合部の構造。
【請求項５】
前記当て板は前記杭頭補強筋の周囲の一部を取り巻く湾曲面部と該湾曲面部に連なる一対の平面部であって一対のねじ部材の押圧力をそれぞれ受ける一対の平面部とからなる、請求項３又は４に記載の接合部の構造。
【請求項６】
前記板状体及び前記杭頭補強筋に塗布され、前記板状体と前記既製コンクリート杭の内周面及び頂面との間の隙間並びに前記既製コンクリート杭と前記杭頭補強筋との間の隙間を埋める合成樹脂の皮膜を備える、請求項１〜５のいずれか１項に記載の接合部の構造。
【発明の詳細な説明】
【技術分野】
【０００１】
本発明は、既製コンクリート杭と杭頭補強筋との接合部の構造に関する。
【背景技術】
【０００２】
従来、既製コンクリート杭に対する杭頭補強筋の接合に当たり、これを溶接により行うことに代えて、機械的な構造を用いて行うことが提案されている。これによれば、溶接作業に付随する天候状態の悪化に伴う作業能率の低下、作業員の技量の善し悪しに伴う品質の不安定性、火災発生の恐れ等を回避することができる。
【先行技術文献】
【特許文献】
【０００３】
【特許文献１】特開２００４−１２４４９５号公報
【発明の概要】
【発明が解決しようとする課題】
【０００４】
本発明は、前記従来の事情に鑑み、溶接作業を必要としない、新たな既製コンクリート杭と杭頭補強筋との接合部の構造を提供する。
【課題を解決するための手段】
【０００５】
本発明は、内周面、外周面及び頂面を有する既製コンクリート杭と杭頭補強筋との接合部の構造に係り、一の実施の形態と他の実施の形態とを含む。
【０００６】
前記一の実施の形態に係る接合部の構造は、互いに平行な一片部及び少なくとも１つのねじ孔が設けられた他片部と両片部に連なる、孔が設けられた連接部とからなる板状体を備える。前記板状体は前記既製コンクリート杭の頭部上に配置され前記一片部及び連接部がそれぞれ前記既製コンクリート杭の内周面及び頂面に接し、前記他片部が前記既製コンクリート杭の外周面に対して間隔をおいて相対し、また、前記連接部の孔に前記杭頭補強筋が通されている。前記接合部の構造は、さらに、前記板状体の他片部のねじ孔に螺合され前記板状体を反力支持体として前記杭頭補強筋に押圧力を及ぼす少なくとも１つのねじ部材とを備える。
【０００７】
前記一の実施の形態に係る接合部の構造によれば、前記板状体及びねじ部材を介して、前記既製コンクリート杭にその外周面において前記杭頭補強筋を固定することができる。これには溶接作業を必要としない。前記接合部の構造を構成する前記板状体及びねじ部材の組み合わせを一組として、複数組の組み合わせを前記既製コンクリート杭の周方向に互いに間隔をおいて配置することができる。複数の組み合わせの相互間隔、したがって複数の杭頭補強筋の相互間隔は、前記既製コンクリート杭の上方に形成される基礎梁の水平方向へ伸びる配筋と、該配筋と交差して鉛直方向へ伸びる前記杭頭補強筋との相互位置を考慮して定めることができる。
【０００８】
前記他の実施の形態に係る接合部の構造は、互いに平行な一片部及び少なくとも１つの孔が設けられた他片部と両片部に連なる、孔が設けられた連接部とからなる板状体を備える。前記板状体は前記既製コンクリート杭の杭頭上に配置され前記一片部及び連接部がそれぞれ前記既製コンクリート杭の内周面及び頂面に接し、前記他片部が前記既製コンクリート杭の外周面に対して間隔をおいて相対し、また、前記連接部の孔に前記杭頭補強筋が通されている。前記接合部の構造は、さらに、前記板状体の他片部の孔を経て伸びかつ前記板状体を反力支持体として前記杭頭補強筋に押圧力を及ぼす少なくとも１つのねじ部材と、該ねじ部材に螺合されたナットであって前記板状体の一片部、他片部及び連接部が取り囲む空間を前記板状体の内部としたとき、前記板状体の内部において前記他片部に接するナットとを備える。
【０００９】
前記他の実施の形態に係る接合部の構造によれば、前記板状体、ねじ部材及びナットを介して、前記既製コンクリート杭にその外周面において前記杭頭補強筋を固定することができる。これには溶接作業を必要としない。この接合部の構造を構成する前記板状体、ねじ部材及びナットからなる組み合わせを一組として、複数組の組み合わせを前記既製コンクリート杭の周方向に互いに間隔をおいて配置することができる。複数組の組み合わせの相互間隔、すなわちこれらの複数の組み合わせを介して前記既製コンクリート杭にそれぞれ固定された複数の杭頭補強筋の相互間隔は、前記既製コンクリート杭の上方に形成される基礎梁の水平方向へ伸びる配筋と、該配筋と交差して鉛直方向へ伸びる前記杭頭補強筋との相互位置を考慮して定めることができる。
【００１０】
前記接合部の構造は、さらに、前記杭頭補強筋と前記ねじ部材との間に配置された、前記杭頭補強筋に対する当て板を備えるものとすることができる。これによれば、前記杭頭補強筋に対する前記ねじ部材の押圧力を、前記当て板を介して、及ぼすことができる。
【００１１】
前記杭頭補強筋が、該杭頭補強筋に設けられその周面から突出する突起を有し、前記当て板が前記突起の上方に位置するものとすることができる。前記杭頭補強筋突起の突起は、前記当て板の前記杭頭補強筋に沿っての下降を阻止する働きをなす。
【００１２】
前記当て板は前記杭頭補強筋の周囲の一部を取り巻く湾曲面部と該湾曲面部に連なる一対の平面部であって一対のねじ部材の押圧力をそれぞれ受ける一対の平面部とからなるものとすることができる。
【００１３】
前記一の実施形態及び他の実施の形態のいずれの接合部の構造においても、前記板状体及び前記杭頭補強筋に塗布され、前記板状体と前記既製コンクリート杭の内周面及び頂面との間の隙間並びに前記コンクリート杭と前記杭頭補強筋との間の隙間を埋める合成樹脂の皮膜を備えるものとすることができる。
【図面の簡単な説明】
【００１４】
【図１】一の実施の形態における一の例に係る、既製コンクリート杭と杭頭補強筋との接合部の構造の平面図である。
【図２】一の実施の形態における一の例に係る、既製コンクリート杭と杭頭補強筋との接合部の構造の部分断面図である。
【図３】一の実施の形態における他の例に係る、既製コンクリート杭と杭頭補強筋との接合部の構造の部分断面図である。
【図４】図３の線４−４に沿って得た部分断面図である。
【図５】他の実施の形態に係る、既製コンクリート杭と杭頭補強筋との接合部の構造の部分断面図である。
【図６】他の実施の形態において使用される、他の例の当て板及びこれ固定されたねじ部材の平面図である。
【図７】他の実施の形態において使用される、さらに他の例の当て板及びこれ固定されたねじ部材の平面図である。
【発明を実施するための形態】
【００１５】
図１を参照すると、既製コンクリート杭１２に対する複数（図示の例において４つ）の杭頭補強筋１４のそれぞれの接合のために適用された本発明の一の実施の形態に係る接合部の構造が全体に符号１０で示されている。
【００１６】
既製コンクリート杭１２は円筒状を呈し、内周面１２ａ、外周面１２ｂ及び平坦な頂面１２ｃを有する。また、杭頭補強筋１４は異形棒鋼からなる。図上、既製コンクリート杭１２及び杭頭補強筋１４は鉛直方向へ互いに平行に伸びている。
【００１７】
接合部の構造１０は、板状体１６と、該板状体を反力支持体として杭頭補強筋１４に押圧力を及ぼす少なくとも１つ（図示の例においては２つ）のねじ部材２０とを備える。接合部の構造１０は、好ましくは、さらに、杭頭補強筋１４に対する当て板１８を備える。
【００１８】
図２に示すように、板状体１６は帯状の鋼板を折り曲げてなり、全体にコの字形を呈する。板状体１６は、互いに平行な一片部１６ａ及び他片部１６ｂと両片部１６ａ、１６ｂに連なる連接部１６ｃとからなる。連接部１６ｃには孔２２が設けられている。
【００１９】
板状体１６は既製コンクリート杭１２の頭部１２Ａ上に配置され、板状体１６の一片部１６ａ及び連接部１６ｃがそれぞれ既製コンクリート杭１２の内周面１２ａ及び頂面１２ｃに接している。また、板状体１６の他片部１６ｂは、既製コンクリート杭１２の外周面１２ｂに対して間隔をおいて相対している。連接部１６ｃの孔２２には杭頭補強筋１４が通され、杭頭補強筋１４は既製コンクリート杭１２の外周面１２ｂに接している。
【００２０】
図示の例では、板状体１６の一片部１６ａ及び連接部１６ｃと杭頭補強筋１４とが、それぞれ、合成樹脂、例えばエポキシ樹脂の皮膜２４を介して、既製コンクリート杭１２に接している。皮膜２４は、予め板状体１６及び杭頭補強筋１４に塗布される。皮膜２４は、既製コンクリート杭１２の内周面１２ａ及び頂面１２ｃと板状体１６の一片部１６ａ及び連接部１６ｃとの間に存する微小な隙間、並びに、既製コンクリート杭１２と杭頭補強筋１４との間に存する微小な隙間を埋める働きをなす。但し、皮膜２４の使用及び塗布を省略することが可能である。
【００２１】
図示の当て板１８は平板からなる。当て板１８は、杭頭補強筋１４と板状体１６の他片部１６ｂとの間、より詳細には杭頭補強筋１４とねじ部材２０との間に配置され、ねじ部材２０の押圧力を受けて杭頭補強筋１４に接している。ねじ部材２０は、板状体１６の他片部１６ｂに螺合、より詳細には他片部１６ｂに設けられた２つのねじ孔２１に螺合され、板状体１６を反力支持体として杭頭補強筋１４に、図示の例では当て板１８を介して、押圧力を及ぼす。図示のねじ部材２０は六角ボルトからなり、その軸部の先端において当て板１８に接している。これにより、杭頭補強筋１４は既製コンクリート杭１２の外周面１２ｂと当て板１８との間に挟持され、既製コンクリート杭１２に固定されている。なお、言うまでもなく、ねじ部材２０が当て板１８を介することなしに杭頭補強鉄筋１４に直接に接するときは、杭頭補強筋１４は既製コンクリート杭１２の外周面１２ｂとねじ部材２０との間に挟持され、既製コンクリート杭１２に固定される。既製コンクリート杭１２に対する杭頭補強筋１４の固定の程度（挟持圧の大きさ）は、ねじ部材２０のねじ込み量に依存する。
【００２２】
図示の例において、杭頭補強筋１４は、該杭頭補強筋に設けられその周面から突出する突起２６を有する。当て板１８は突起２６の上方に位置し、突起２６により杭頭補強筋１４に沿っての下降を阻止される。突起２６は、また、杭頭補強筋１４が引き抜き作用を受ける場合における引き抜き抵抗として機能する。
【００２３】
板状体１６の一片部１６ａは、図示の例においては平板状を呈するところ、これに代えて、既製コンクリート杭１２の内周面に沿って円筒状に湾曲する湾曲板からなるもの（図示せず）とすることができる。
【００２４】
次に、図３及び図４に示すように、当て板１８は、他の例として、杭頭補強筋１４の周囲の一部を取り巻く湾曲面部１８ａと該湾曲面部に連なる一対の平面部１８ｂとからなるものとすることができる。図示の例においては、２つの当て板１８が上下方向に互いに間隔をおいて配置されている。また、各当て板１８は、両平面部１８ｂにおいて、一対のねじ部材２０の押圧力をそれぞれ受ける。このため、２つの当て板１８に相対する二対のねじ部材２０が上下方向に互いに間隔をおいて配置され、板状体１６の他片部１６ｂにそれぞれ螺合されている。
【００２５】
次に、図５を参照すると、前記他の実施の形態に係る接合部の構造が全体に符号３０で示されている。
【００２６】
この接合部の構造３０は、板状体１６と、該板状体を反力支持体として杭頭補強筋１４に押圧力を及ぼす少なくとも１つ(図示の例においては２つ)のねじ部材２０と、各ねじ部材２０に螺合されたナット３６とを備える。接合部の構造３０も、また、好ましくは、さらに杭頭補強筋１４に対する当て板１８を備える。
【００２７】
板状体１６は、前記一の実施の形態における板状体１６と実質的に同一である。但し、この実施の形態においては、板状体１６の他片部１６ｂに、少なくとも１つのねじ孔２１（図１〜図４）に代えて、少なくとも１つ（図示の例においては２つ）の孔（ねじ溝が形成されていない孔）３４が設けられている。２つの孔３４は上下方向に互いに間隔をおいて配置されている。
【００２８】
当て板１８は、板状体１６の連接部１６ｃの孔２２に通された杭頭補強筋１４と板状体１６の他片部１６ｂとの間、より詳細には杭頭補強筋１４とねじ部材２０との間に配置され、杭頭補強筋１４に接している。図５及び図６に示す当て板１８は円弧状の湾曲板からなる。前記湾曲板に代えて、図７に示すように、平板からなるものとすることができる。
【００２９】
図示のねじ部材２０は全ねじからなり、また、その端部において当て板１８に固定されている。各ねじ部材２０は、板状体１６の他片部１６ｂの各孔３４を経て伸び、板状体１６を反力支持体として、また、当て板１８を介して、杭頭補強筋１４に押圧力を及ぼす働きをなす。ナット３６は、板状体１６の両片部１６ａ、１６ｂ及び連接部１６ｃが取り囲む空間を板状体１６の内部としたとき、板状体１６の内部において板状体１６の他端部１６ｂに接している。ナット３６は、板状体１６の他片部１６ｂに対するねじ部材２０の相対移動を阻止する働きをなす。符号３２は、ナット３６の緩みを防止するためにねじ部材２０に螺合された止めナットを示す。ナット３２は、板状体１６の外部において板状体１６の他端部１６ｂに接している。
【００３０】
前記他の実施の形態においても、杭頭補強筋１４が既製コンクリート杭１２の外周面１２ｂと当て板１８との間に挟持され、既製コンクリート杭１２に固定される。この実施の形態においても、前記一の実施の形態におけると同様、ねじ部材２０が当て板１８を介することなしに杭頭補強鉄筋１４に直接に接するときは、杭頭補強筋１４は既製コンクリート杭１２の外周面１２ｂとねじ部材２０との間に挟持され、既製コンクリート杭１２に固定される。既製コンクリート杭１２に対する杭頭補強筋１４の固定の程度（挟持圧の大きさ）は、ねじ部材２０のねじ込み量に依存する。
【００３１】
また、この実施の形態においても、前記一の実施の形態におけると同様、板状体１６の一片部１６ａ及び連接部１６ｃと杭頭補強筋１４とが、それぞれ、エポキシ樹脂のような合成樹脂の皮膜２４を介して、既製コンクリート杭１２に接するようにすることができる。
【符号の説明】
【００３２】
１０、３０  接合部の構造
１２  既製コンクリート杭
１４  杭頭補強筋
１６  板状体
１６ａ、１６ｂ、１６ｃ  板状体の一片部、他片部及び連接部
１８  当て板
２０  ねじ部材
２１  ねじ孔
２２  孔
２４  合成樹脂の皮膜
３２  ナット
３４  孔
【図１】
2020148035.tif 000003
【図２】
2020148035.tif 000004
【図３】
2020148035.tif 000005
【図４】
2020148035.tif 000006
【図５】
2020148035.tif 000007
【図６】
2020148035.tif 000008
【図７】
2020148035.tif 000009